(57)【要約】      （修正有）【課題】色バランスを適切に補正できるプロジェクターを提供する。【解決手段】プロジェクター１Ａは、光源装置４１と、光変調装置４５２と、投射光学装置４６と、光源装置４１から出射された光から分離された第１色光の輝度を検出する検出装置５Ａと、検出装置５Ａによる検出結果に応じて光源装置４１及び光変調装置４５２の少なくともいずれかを制御して、投射光学装置４６により投射される画像の色バランスを調整する制御装置と、を備え、検出装置５Ａは、入射される第１色光のうち、予め設定されたそれぞれ異なる複数の波長範囲の光を分離するフィルター４３１，４３２と、フィルター４３１，４３２により分離された複数の波長範囲の光のそれぞれの輝度を検出するセンサー装置５１，５３と、を有する。【選択図】図１
2016114738.tif 000002
【特許請求の範囲】
【請求項１】
光源装置と、
前記光源装置から出射された光を変調して画像を形成する光変調装置と、
前記光変調装置により形成された画像を投射する投射光学装置と、
前記光源装置から出射された光から分離された第１色光の輝度を検出する検出装置と、
前記検出装置による検出結果に応じて前記光源装置及び前記光変調装置の少なくともい
ずれかを制御して、前記投射光学装置により投射される画像の色バランスを調整する制御
装置と、を備え、
前記検出装置は、
入射される第１色光のうち、予め設定されたそれぞれ異なる複数の波長範囲の光を分離
するフィルターと、
前記フィルターにより分離された前記複数の波長範囲の光のそれぞれの輝度を検出する
センサー装置と、を有することを特徴とするプロジェクター。
【請求項２】
請求項１に記載のプロジェクターにおいて、
前記光源装置と前記光変調装置との間に配置され、前記光源装置から入射される光にそ
れぞれ含まれる前記第１色光のうちの前記波長範囲の光と、前記波長範囲の光とは異なる
第２色光とのうち、一方を透過させ、他方を反射させるダイクロイックミラーと、
前記光源装置から入射される光の中心軸に対する前記ダイクロイックミラーの角度を調
整する調整機構と、を備え、
前記光変調装置は、それぞれ前記第１色光及び前記第２色光に応じて設けられる第１色
光変調装置及び第２色光変調装置を含み、
前記フィルターは、前記ダイクロイックミラーであり、
前記センサー装置は、前記調整機構によって前記ダイクロイックミラーの角度が調整さ
れる毎に、前記第１色光のうち、前記ダイクロイックミラーの角度に応じて前記ダイクロ
イックミラーによって分離された前記波長範囲の光の輝度を検出することを特徴とするプ
ロジェクター。
【請求項３】
請求項１に記載のプロジェクターにおいて、
入射される光の中心軸に対する前記フィルターの角度を調整する調整機構を備え、
前記フィルターには、前記光源装置から出射された光から分離された第１色光が入射さ
れ、
前記センサー装置は、前記調整機構によって前記フィルターの角度が調整される毎に、
前記フィルターを介して入射される前記波長範囲の光の輝度を検出することを特徴とする
プロジェクター。
【請求項４】
請求項３に記載のプロジェクターにおいて、
前記フィルターと前記センサー装置とは、一体化されていることを特徴とするプロジェ
クター。
【請求項５】
請求項１に記載のプロジェクターにおいて、
前記フィルターは、分離される光の波長範囲がそれぞれ異なる複数のフィルター部を有
し、
前記センサー装置は、前記複数のフィルター部のそれぞれに応じて設けられ、入射され
る光の輝度をそれぞれ検出する複数の光センサーを有することを特徴とするプロジェクタ
ー。
【請求項６】
請求項１から請求項５のいずれか１項に記載のプロジェクターにおいて、
前記検出装置は、前記フィルターと前記センサー装置との間に位置し、入射される光を
拡散して出射する光拡散層を有し、
前記センサー装置は、それぞれ入射される光の輝度を検出する複数の光センサーを有す
ることを特徴とするプロジェクター。
【請求項７】
請求項１から請求項６のいずれか１項に記載のプロジェクターにおいて、
前記制御装置は、前記検出装置による検出結果に基づいて、前記第１色光のピーク波長
及びピーク輝度を決定し、前記第１色光のピーク波長及びピーク輝度に基づいて、前記光
源装置及び前記光変調装置の少なくともいずれかを制御することを特徴とするプロジェク
ター。
【請求項８】
請求項１から請求項７のいずれか１項に記載のプロジェクターにおいて、
前記光源装置は、それぞれ異なる色光を独立して出射する複数の光源部を有することを
特徴とするプロジェクター。
【発明の詳細な説明】
【技術分野】
【０００１】
本発明は、プロジェクターに関する。
【背景技術】
【０００２】
従来、光源と、当該光源から出射された光を変調して画像を形成する光変調装置と、形
成された画像をスクリーン等の被投射面上に拡大投射する投射光学装置と、を備えたプロ
ジェクターが知られている。このようなプロジェクターとして、青色半導体レーザーや青
色光を出射するＬＥＤ（Light Emitting Diode）を有する励起光源と、当該励起光源と同
様の構成を有する青色光源と、を有する光源装置を備えたプロジェクターが知られている
。
このプロジェクターでは、励起光源から出射された励起光は、蛍光体に照射されて緑色
光及び赤色光に波長変換される。そして、これら緑色光及び赤色光と、上記青色光源から
出射された青色光とが合成され、光路後段に位置する光変調装置等の各種光学部品に入射
される。このような光源装置は、光源として放電ランプを有する構成に比べて耐久性が高
いので、当該光源装置をプロジェクターに採用することにより、光源装置を交換する等の
メンテナンスの頻度を低減できる。また、当該光源装置は信頼性が高いので、所望の輝度
の光を安定して出射できる他、光源のオン／オフや輝度を比較的自由に変更できる。更に
、上記励起光源及び青色光源には水銀が含まれないので、環境に優しい光源装置を構成で
きる。
【０００３】
ところで、光源から出射される光の輝度は、当該光源装置の経年劣化や、温度及び印加
電圧の変化に伴って変化する。このような場合、例えば、上記プロジェクターのように、
ある色光を出射する光源、及び、他の色光を出射する光源のうち、一方の光源から出射さ
れる光の輝度が変化すると、これら光源から出射されて合成された光により形成される画
像の色バランス（ホワイトバランス）が変化し、画像が劣化する可能性がある。
【０００４】
このような問題に対し、光源から出射されて分離された赤、緑及び青の各色光の輝度を
検出し、当該各色光の輝度に応じて画像の色補正を行うプロジェクターが知られている（
例えば、特許文献１参照）。
この特許文献１に記載のプロジェクターは、上記構成の他、センサー装置及び回路装置
を備える。これらのうち、センサー装置は、それぞれ分離された赤、緑及び青の各色光の
輝度を検出する複数の光センサーを有する。また、回路装置は、画像処理部及びパネル駆
動部を有する。これらのうち、画像処理部は、特定の色光の輝度が低下した場合に、当該
色光の輝度低下を補って色バランスを保つ画像処理（色補正）を行う。また、パネル駆動
部が、画像処理後の画像信号に基づいて、光変調装置としてのライトバルブの透過状態を
調整する。
【先行技術文献】
【特許文献】
【０００５】
【特許文献１】特開２０１０−２１０７４２号公報
【発明の概要】
【発明が解決しようとする課題】
【０００６】
ところで、上記のように、光源装置の経年劣化や、温度及び印加電圧の変化等の要因に
よって、当該光源装置から出射される光の輝度は変化するが、これに伴って、当該光に含
まれる赤、緑及び青の各色光の波長も変化する。
しかしながら、上記特許文献１に記載のプロジェクターが有する光センサーが、フィル
ターを透過した比較的狭い波長範囲の光の輝度を検出する場合、上記要因によって各色光
の波長が変化すると、ピーク波長の輝度が光センサーの検出範囲から外れてしまい、当該
色光の輝度を適切に検出できない可能性がある。
また、透過波長範囲が予め設定されたフィルターを介した光の輝度を検出する光センサ
ーでは、当該光の波長が変化した場合に、変化後の光の波長を検出できない。特に、上記
励起光源及び青色光源のように、予め出射される色光の波長が定まった複数の光源が利用
される場合には、当該波長に応じて透過波長が設定されたフィルターが採用される場合が
あるため、上記問題が顕著となる。
このため、光源装置が劣化した場合でも、色バランスを適切に補正可能なプロジェクタ
ーが要望されてきた。
【０００７】
本発明は、上記課題の少なくとも一部を解決することを目的としたものであり、色バラ
ンスを適切に補正できるプロジェクターを提供することを目的の１つとする。
【課題を解決するための手段】
【０００８】
本発明の一態様に係るプロジェクターは、光源装置と、前記光源装置から出射された光
を変調して画像を形成する光変調装置と、前記光変調装置により形成された画像を投射す
る投射光学装置と、前記光源装置から出射された光から分離された第１色光の輝度を検出
する検出装置と、前記検出装置による検出結果に応じて前記光源装置及び前記光変調装置
の少なくともいずれかを制御して、前記投射光学装置により投射される画像の色バランス
を調整する制御装置と、を備え、前記検出装置は、入射される第１色光のうち、予め設定
されたそれぞれ異なる複数の波長範囲の光を分離するフィルターと、前記フィルターによ
り分離された前記複数の波長範囲の光のそれぞれの輝度を検出するセンサー装置と、を有
することを特徴とする。
【０００９】
なお、上記複数の波長範囲のそれぞれは、波長の下限値と上限値との差が略一定（波長
幅が略一定）であり、かつ、当該下限値及び上限値が異なる波長範囲である。これら下限
値及び上限値は、フィルターの使用状態に応じて変化する場合がある他、それぞれ設定さ
れた下限値及び上限値が異なる複数のフィルター部が用いられる場合がある。
上記一態様によれば、フィルターは、入射される第１色光のうち、それぞれ異なる複数
の波長範囲の光を分離する。このため、センサー装置には、第１色光のうちのそれぞれ異
なる波長範囲の光が入射される。これによれば、当該センサー装置が、それぞれ入射され
る波長範囲の光の輝度を検出することにより、第１色光のピーク輝度を決定できる。この
他、ピーク輝度を検出した波長範囲を判別することによって、第１色光のピーク波長も決
定可能である。すなわち、上記要因により、光源装置から出射される光の波長が変化した
場合でも、上記第１色光のピーク輝度だけでなく、ピーク波長も決定できる。そして、制
御装置が、当該センサー装置による検出結果に基づいて、光源装置及び光変調装置の少な
くともいずれかを制御することにより、上記投射光学装置による投射画像の色バランスを
調整できる。従って、第１色光の輝度及び波長の変化に対応する色補正が実施された画像
を投射できる。
なお、第１色光に限らず、他の色光の輝度を同様に検出することにより、より適切に色
バランスが調整された画像を投射できる。
【００１０】
上記一態様では、前記光源装置と前記光変調装置との間に配置され、前記光源装置から
入射される光にそれぞれ含まれる前記第１色光のうちの前記波長範囲の光と、前記波長範
囲の光とは異なる第２色光とのうち、一方を透過させ、他方を反射させるダイクロイック
ミラーと、前記光源装置から入射される光の中心軸に対する前記ダイクロイックミラーの
角度を調整する調整機構と、を備え、前記光変調装置は、それぞれ前記第１色光及び前記
第２色光に応じて設けられる第１色光変調装置及び第２色光変調装置を含み、前記フィル
ターは、前記ダイクロイックミラーであり、前記センサー装置は、前記調整機構によって
前記ダイクロイックミラーの角度が調整される毎に、前記第１色光のうち、前記ダイクロ
イックミラーの角度に応じて前記ダイクロイックミラーによって分離された前記波長範囲
の光の輝度を検出することが好ましい。
【００１１】
なお、ダイクロイックミラーとしては、上記第１色光のうちの上記波長範囲の光と上記
第２色光とのうち一方を透過させ、他方を反射させる誘電体多層膜が、蒸着等によりガラ
ス等の透光性基板に形成された構成を例示できる。
ここで、誘電体多層膜は、得られる光学特性に入射角依存性がある。すなわち、誘電体
多層膜は、当該誘電体多層膜の光入射面の法線に対する光の入射角に応じて、当該誘電体
多層膜を透過する光、及び、当該誘電体多層膜にて反射される光の波長範囲が変化する。
換言すると、光の入射方向が一定である場合には、上記入射角が変更されるように、誘電
体多層膜を動かすことにより、透過又は反射される光の波長範囲を変更できる。
このため、上記調整機構によって、入射される光の中心軸に対するダイクロイックミラ
ー（誘電体多層膜が形成されたダイクロイックミラー）の角度を調整して、当該ダイクロ
イックミラーにて分離される光の波長範囲を変更することにより、それぞれ異なる複数の
波長範囲の光を、上記センサー装置に入射させることができる。そして、これにより、当
該センサー装置によって、各波長範囲の光の輝度を検出できる。従って、上記要因によっ
て、光源装置から出射される光の波長が変化した場合でも、上記第１色光のピーク輝度を
確実に検出できる他、上記ダイクロイックミラーの角度に応じて分離される波長範囲を予
め保持しておくことにより、当該第１色光のピーク波長を決定できる。
また、ダイクロイックミラーは、光源装置から出射された光から複数の色光を分離する
構成として用いられることが多い。このため、上記調整機構及び上記センサー装置をプロ
ジェクターに追加することによって、上記一態様に係るプロジェクターを構成できる。
【００１２】
上記一態様では、入射される光の中心軸に対する前記フィルターの角度を調整する調整
機構を備え、前記フィルターには、前記光源装置から出射された光から分離された第１色
光が入射され、前記センサー装置は、前記調整機構によって前記フィルターの角度が調整
される毎に、前記フィルターを介して入射される前記波長範囲の光の輝度を検出すること
が好ましい。
【００１３】
なお、フィルターとしては、入射された光のうち所定の波長範囲の光を透過する誘電体
多層膜が、蒸着等によりガラス等の透光性基板に形成されたカラーフィルターを例示でき
る。
ここで、上記のように、誘電体多層膜は、入射角依存性を有する。
このため、調整機構によって、入射される光の中心軸に対するフィルター（例えば、誘
電体多層膜が形成されたフィルター）の角度を調整して、当該フィルターを介してセンサ
ー装置に入射される光の波長範囲を変更させることにより、それぞれ異なる複数の波長範
囲の光の輝度を、上記センサー装置によって検出できる。従って、上記要因によって、光
源装置から出射される光の波長が変化した場合でも、当該光のピーク輝度及びピーク波長
を確実に検出できる。
この際、調整機構は、フィルターの角度を調整するので、通常の画像形成に用いられる
ダイクロイックミラー（例えば、上記第１色光のうちの上記波長範囲の光と上記第２色光
とを分離するダイクロイックミラー）等の光学部品の位置が変更されることがない。従っ
て、画像を安定して投射できる。
【００１４】
上記一態様では、前記フィルターと前記センサー装置とは、一体化されていることが好
ましい。
上記一態様によれば、上記調整機構によってフィルターの角度が調整される際には、セ
ンサー装置の位置も変更される。これによれば、フィルターから出射された光をセンサー
装置に確実に入射させることができる。従って、当該光の輝度を確実に検出できる。
【００１５】
上記一態様では、前記フィルターは、分離される光の波長範囲がそれぞれ異なる複数の
フィルター部を有し、前記センサー装置は、前記複数のフィルター部のそれぞれに応じて
設けられ、入射される光の輝度をそれぞれ検出する複数の光センサーを有することが好ま
しい。
なお、分離される光の波長範囲がそれぞれ異なる複数のフィルター部とは、例えば入射
される第１色光の波長範囲において、分離される光の波長幅が略一定で、かつ、下限値及
び上限値がそれぞれ異なる複数のフィルター部が挙げられる。
上記一態様では、上記複数のフィルター部のそれぞれに応じて設けられる複数の光セン
サーによって、フィルターに入射される第１色光のうち、それぞれ波長が異なる複数の光
の輝度を検出できる。従って、フィルターの角度を調整することなく、当該光のピーク輝
度及びピーク波長を決定できる。また、それぞれのフィルター部は、誘電体多層膜を有す
る光学フィルターでなくてもよいため、フィルターの選択自由度を向上できる。
【００１６】
上記一態様では、前記検出装置は、前記フィルターと前記センサー装置との間に位置し
、入射される光を拡散して出射する光拡散層を有し、前記センサー装置は、それぞれ入射
される光の輝度を検出する複数の光センサーを有することが好ましい。
【００１７】
ここで、光センサーに、当該光センサーの検出限界を超える強い光が入射されると、セ
ンサー装置による輝度の検出を適切に実施できない。
これに対し、上記一態様によれば、フィルターによって分離されて光拡散層に入射され
る光を、当該光拡散層によって、複数の光センサーのそれぞれに分散して入射させること
ができる。従って、検出限界を超える光が光センサーに入射されることを抑制でき、フィ
ルターに入射された光の輝度を適切に検出できる。
【００１８】
なお、光センサーには、入射角依存性を有するものがあり、当該光センサーに対する光
の入射角によっては、輝度の検出を適切に行えない場合がある。そして、このような光セ
ンサーを有するセンサー装置がフィルターと一体化されている場合、フィルターとともに
各光センサーの位置が変更されて、当該各光センサーに対する光の入射角が変更されると
、各センサーが入射光の輝度を適切に検出できない可能性がある。
これに対し、上記一態様によれば、上記光拡散層によって、各光センサーに拡散された
光を入射させることができるので、当該光センサーの入射角依存性をキャンセルできる。
従って、各光センサーによる入射光の輝度検出を確実に行うことができる。
【００１９】
上記一態様では、前記制御装置は、前記検出装置による検出結果に基づいて、前記第１
色光のピーク波長及びピーク輝度を決定し、前記第１色光のピーク波長及びピーク輝度に
基づいて、前記光源装置及び前記光変調装置の少なくともいずれかを制御することが好ま
しい。
上記一態様によれば、制御装置は、検出装置による検出結果に基づいて、第１色光のピ
ーク波長及びピーク輝度を決定する。そして、制御装置は、決定されたピーク波長及びピ
ーク輝度に基づいて、光源装置及び光変調装置の少なくともいずれかを制御する。これに
よれば、プロジェクターの使用当初や前回調整時から変化した第１色光の輝度及び波長に
応じて、投射画像（表示画像）の色調整を実行できる。従って、適切な色バランスの画像
を確実に投射できる。なお、上記のように、他の色光についてもピーク波長及びピーク輝
度を決定することにより、より適切に色バランスが調整された画像を投射できる。
【００２０】
上記一態様では、前記光源装置は、それぞれ異なる色光を独立して出射する複数の光源
部を有することが好ましい。
なお、上記光源装置として、青色半導体レーザーや青色ＬＥＤから出射される光を蛍光
体に照射して緑色光及び赤色光を出射する第１光源部と、青色半導体レーザーや青色ＬＥ
Ｄ等により構成されて青色光を出射する第２光源部とを有する光源装置を例示できる。こ
の他、上記光源装置として、ＬＥＤ等の固体光源を有し、赤、緑及び青の色光をそれぞれ
独立して出射する複数の光源部を備えた光源装置を例示できる。これら例示した光源装置
は、比較的狭い波長幅の色光をそれぞれ出射する。
上記一態様によれば、複数の光源部のうち、少なくとも１つの光源部から出射される色
光の輝度及び波長が上記要因によって変化した場合でも、当該光の輝度及び波長を適切か
つ確実に検出できる。そして、ある光源部から出射された色光の輝度及び波長が変化した
場合に、変化した色光の輝度及び波長に他の色光の輝度及び波長を合わせるように、他の
色光を出射する光源部の点灯を制御できる。これにより、色バランスを適切に維持できる
ので、適切な色バランスの投射画像を投射及び表示できる。
【図面の簡単な説明】
【００２１】
【図１】本発明の第１実施形態に係るプロジェクターの構成を示す模式図。
【図２】上記第１実施形態における第１光源部の構成を示す模式図。
【図３】上記第１実施形態における装置本体の構成を示すブロック図。
【図４】上記第１実施形態における画質調整処理を示すフローチャート。
【図５】本発明の第２実施形態に係るプロジェクターが備える検出装置の青用検出部の構成を示す模式図。
【図６】上記第２実施形態における検出装置の赤用検出部の構成を示す模式図。
【図７】本発明の第３実施形態に係るプロジェクターが備える検出装置の青用検出部の構成を示す模式図。
【図８】上記第３実施形態における検出装置の赤用検出部の構成を示す模式図。
【図９】本発明の第４実施形態に係るプロジェクターの構成を示す模式図。
【図１０】上記第４実施形態における検出装置の構成を示す模式図。
【図１１】上記第４実施形態におけるプロジェクターの構成を示すブロック図。
【図１２】本発明の第５実施形態に係るプロジェクターが備える検出装置の青用検出部の構成を示す模式図。
【発明を実施するための形態】
【００２２】
［第１実施形態］
以下、本発明の第１実施形態について、図面に基づいて説明する。
［プロジェクターの概略構成］
図１は、本実施形態に係るプロジェクター１Ａの構成を示す模式図である。
本実施形態に係るプロジェクター１Ａは、内部に配置された光源装置４１から出射され
た光を変調して、画像情報に応じた画像を形成し、当該画像をスクリーン等の被投射面（
図示省略）上に拡大投射する画像表示装置である。このプロジェクター１Ａは、詳しくは
後述するが、経年劣化や温度等の要因によって光源装置４１から出射される光の輝度及び
波長が変化したと判定された場合に、当該光のピーク輝度及びピーク波長に基づいて、投
射される画像の色バランスを調整する。
このようなプロジェクター１Ａは、図１に示すように、外装を構成する外装筐体２と、
当該外装筐体２内に収納される装置本体３と、を備える。
【００２３】
［装置本体の構成］
装置本体３は、上記画像を形成及び投射する光学ユニット４と、当該光学ユニット４に
よる画像形成に利用される光の輝度を検出する検出装置５Ａと、調整機構６と、プロジェ
クター１全体の動作を制御する制御装置７（図１では図示省略）と、を備える。この他、
装置本体３は、図示を省略するが、使用者の入力操作に応じた操作信号を上記制御装置７
に出力する操作装置、プロジェクター１Ａの構成部品を冷却する冷却装置、及び、プロジ
ェクター１Ａの電子部品に電力を供給する電源装置等を備える。
【００２４】
［光学ユニットの構成］
光学ユニット４は、制御装置７から入力される画像信号に応じた画像を形成及び投射す
る。この光学ユニット４は、光源装置４１、均一照明装置４２、色分離装置４３、リレー
装置４４、画像形成装置４５、投射光学装置４６及び光学部品用筐体４７を備える。
【００２５】
［光源装置の構成］
光源装置４１は、均一照明装置４２に光束を出射する。この光源装置４１は、均一照明
装置４２を構成するダイクロイックミラー４２２に向けて赤色光及び緑色光を出射する第
１光源部４１１と、均一照明装置４２を構成する反射ミラー４２１に向けて青色光を出射
する第２光源部４１９と、を有する。
これらのうち、第１光源部４１１の構成については、後に詳述する。
また、第２光源部４１９は、それぞれ比較的波長帯の狭い青色光（例えば、最低波長と
最高波長との差が１５ｎｍ程度の青色光）を出射する複数の固体光源（ＬＤ（Laser Diod
e）及びＬＥＤ等）が配列された構成を例示できる。
【００２６】
［均一照明装置の構成］
均一照明装置４２は、第１光源部４１１及び第２光源部４１９から入射される光を合成
し、当該合成された光により、後述する各光変調装置４５２を略均一に照明する。この均
一照明装置４２は、反射ミラー４２１、ダイクロイックミラー４２２、一対のレンズアレ
イ４２３，４２４、偏光変換素子４２５及び重畳レンズ４２６を備える。
反射ミラー４２１は、第２光源部４１９から入射される青色光をダイクロイックミラー
４２２に向けて反射させる。
ダイクロイックミラー４２２は、第１光源部４１１から入射される赤色光及び緑色光を
透過してレンズアレイ４２３に導くとともに、反射ミラー４２１を介して第２光源部４１
９から入射される青色光をレンズアレイ４２３に向けて反射させる。すなわち、ダイクロ
イックミラー４２２は、それぞれ入射される赤、緑及び青の各色光を合成して、レンズア
レイ４２３に出射する。
【００２７】
レンズアレイ４２３は、図示を省略するが、ダイクロイックミラー４２２から入射され
る光を、複数の部分光束に分割する小レンズを有する。
レンズアレイ４２４は、レンズアレイ４２３の小レンズに対応する小レンズを有し、重
畳レンズ４２６とともに、レンズアレイ４２３から入射される各部分光束を光変調装置４
５２に重畳させる。
偏光変換素子４２５は、レンズアレイ４２４と重畳レンズ４２６との間に配置され、当
該レンズアレイ４２４から入射される光を１種類の直線偏光に変換する。
【００２８】
［色分離装置の構成］
色分離装置４３は、均一照明装置４２から入射される光束から、赤（Ｒ）、緑（Ｇ）及
び青（Ｂ）の各色光を分離する。この色分離装置４３は、ダイクロイックミラー４３１，
４３２及び反射ミラー４３３を有する。
ダイクロイックミラー４３１，４３２は、本実施形態においては本発明のフィルターに
相当する。これらダイクロイックミラー４３１，４３２は、ガラス等の透光性基板上に誘
電体多層膜が形成された構成を有し、それぞれ、所定の色光を透過し、他の色光を反射さ
せる。
【００２９】
具体的に、ダイクロイックミラー４３１は、入射される光から青色光と、緑色光及び赤
色光とを分離するフィルターであり、詳述すると、青色光を透過させ、緑色光及び赤色光
を反射させるバンドパスフィルターである。このダイクロイックミラー４３１は、青に分
類される波長範囲における一定の透過波長範囲（予め設定された下限値及び上限値により
定められる一定の透過波長幅）を有する。この透過波長範囲は、比較的狭い波長範囲とさ
れており、本実施形態では、第２光源部４１９から出射される青色光の波長帯を含む所定
範囲に設定されている。また、ダイクロイックミラー４３１は、緑及び赤に分類される波
長範囲における一定の反射波長範囲（予め設定された下限値及び上限値により定められる
一定の反射波長幅）を有する。
【００３０】
このようなダイクロイックミラー４３１は、上記均一照明装置４２から入射される光束
の中心軸に直交し、かつ、当該ダイクロイックミラー４３１により反射された青色光の進
行方向に対して直交する方向に沿う回動軸ＲＡ１を中心として、回動可能とされている。
換言すると、ダイクロイックミラー４３１は、当該ミラー４３１の光入射面の法線に対す
る直交方向に沿う回動軸ＲＡ１を中心として回動可能に構成されている。
【００３１】
また、ダイクロイックミラー４３２は、入射される光から緑色光と赤色光とを分離する
フィルターであり、詳述すると、緑色光を反射させ、赤色光を透過させるバンドパスフィ
ルターである。詳述すると、ダイクロイックミラー４３２は、赤に分類される波長範囲に
おける一定の透過波長範囲を有する。この透過波長範囲は、上記と同様に、比較的狭い波
長範囲とされており、本実施形態では、第１光源部４１１から出射される赤色光の波長帯
を含む所定範囲に設定されている。また、ダイクロイックミラー４３２は、緑に分類され
る波長範囲における一定の反射波長範囲を有する。この反射波長範囲については、狭く設
定されてはいないが、第１光源部４１１から出射される緑色光の波長帯を含む所定範囲に
設定してもよい。
【００３２】
このようなダイクロイックミラー４３２は、当該ダイクロイックミラー４３２に入射さ
れる光束の中心軸に直交し、かつ、当該ダイクロイックミラー４３２により反射された緑
色光の進行方向に対して直交する方向に沿う回動軸ＲＡ２を中心として、回動可能とされ
ている。換言すると、ダイクロイックミラー４３２は、当該ミラー４３２の光入射面の法
線に対する直交方向に沿う回動軸ＲＡ２を中心として回動可能に構成されている。
そして、これらダイクロイックミラー４３１，４３２は、後述する調整機構６（６１，
６２）により、対応する回動軸ＲＡ１，ＲＡ２を中心として、図１におけるＡ１方向及び
Ａ２方向にそれぞれ回動される。
このように、ダイクロイックミラー４３１，４３２が回動されると、入射される光束の
中心軸に対するそれぞれの誘電体多層膜の角度が変更される。これにより、誘電体多層膜
の入射角依存性によって色分離特性が変化し、これらダイクロイックミラー４３１，４３
２によってそれぞれ分離される青色光、緑色光及び赤色光の波長範囲が変更される。
【００３３】
反射ミラー４３３は、ダイクロイックミラー４３１を透過して入射される青色光を反射
させて、青色光用の光変調装置４５２（４５２Ｂ）に導く。この反射ミラー４３３は、入
射された青色光の全てを反射させるのではなく、一部の光を透過させる。この一部の光は
、反射ミラー４３３に対して光入射側とは反対側に位置する検出装置５Ａのセンサー群５
１に入射される。
【００３４】
リレー装置４４は、ダイクロイックミラー４３２を透過した赤色光を、赤色光用の光変
調装置４５２（４５２Ｒ）に導くものであり、入射側レンズ４４１、リレーレンズ４４３
及び反射ミラー４４２，４４４を備える。このリレー装置４４は、拡散等による赤色光の
利用効率の低下を防止するためのものであるが、赤色光に代えて他の色光（例えば、青色
光）を通す構成としてもよい。
これらのうち、反射ミラー４４４は、上記反射ミラー４３３と同様に、リレーレンズ４
４３を介して入射される赤色光の全てを反射させるのではなく、一部の光を透過させる。
この一部の光は、反射ミラー４４４に対して光入射側とは反対側に位置する検出装置５Ａ
のセンサー群５３に入射される。
【００３５】
画像形成装置４５は、色分離装置４３及びリレー装置４４を介して入射される赤、緑及
び青の各色光をそれぞれ変調した後、これらを合成して、画像光を形成する。このような
画像形成装置４５は、色光毎に設けられた３つのフィールドレンズ４５１と、同じく色光
毎に設けられた３つの光変調装置４５２（赤、緑及び青用の光変調装置をそれぞれ４５２
Ｒ，４５２Ｇ，４５２Ｂとする）と、色合成装置４５３と、を有する。
それぞれのフィールドレンズ４５１は、入射される光を平行化し、当該光を対応する光
変調装置４５２に導く。
【００３６】
それぞれの光変調装置４５２は、入射される色光を変調して、制御装置７から入力され
る画像信号に応じた画像を形成する。これら光変調装置４５２は、詳しい図示を省略する
が、当該画像信号に応じて駆動する液晶パネルと、当該液晶パネルを挟む一対の偏光板と
を備える液晶ライトバルブとして構成されている。
色合成装置４５３は、クロスダイクロイックプリズムにより構成されている。このクロ
スダイクロイックプリズムは、４つの直角プリズムを貼り合わせた平面視略正方形状をな
すプリズムであり、各光変調装置４５２により変調された色光がそれぞれ入射される３つ
の光入射面と、合成された光が出射される光出射面と、を有する。このクロスダイクロイ
ックプリズムは、当該４つの直角プリズムの界面に形成された２つの誘電体多層膜により
、それぞれ対応する光変調装置４５２により変調された各色光を合成する。
【００３７】
［投射光学装置の構成］
投射光学装置４６は、色合成装置４５３により合成された各色光、すなわち、画像光を
上記被投射面上に拡大投射する。この投射光学装置４６は、詳しい図示を省略するが、鏡
筒と、当該鏡筒内に配置される複数のレンズとを有する組レンズとして構成されている。
【００３８】
［光学部品用筐体の構成］
光学部品用筐体４７は、詳しい図示を省略するが、上記装置４２〜４４を構成する光学
部品を内部に収納する部品収納部材と、当該部品収納部材に形成された部品収納用の開口
部を閉塞する蓋状部材と、を備える。この光学部品用筐体４７には、照明光軸ＡＸが設定
されており、上記各装置４２〜４４は、当該照明光軸ＡＸに対する所定位置に配置され、
上記光源装置４１、画像形成装置４５及び投射光学装置４６は、当該照明光軸ＡＸに応じ
て配置される。
【００３９】
［第１光源部の構成］
図２は、第１光源部４１１の構成を示す模式図である。
第１光源部４１１は、前述のように、緑色光及び赤色光をダイクロイックミラー４２２
に出射する。この第１光源部４１１は、図２に示すように、固体光源アレイ４１２、反射
ミラー群４１３、集光レンズ群４１４、ダイクロイックプリズム４１５、ピックアップレ
ンズ４１６及び波長変換装置４１７を有する。
【００４０】
固体光源アレイ４１２は、複数の固体光源４１２１と、当該複数の固体光源４１２１が
実装される基板４１２２と、各固体光源４１２１に応じて設けられ、当該固体光源４１２
１から入射される光を平行化する平行化レンズ４１２３とを有する。なお、本実施形態で
は、固体光源４１２１は、所定波長の色光（例えば、紫外領域の色光）を出射するＬＤに
より構成され、当該各固体光源４１２１は、基板４１２２においてマトリクス状に配列さ
れている。
反射ミラー群４１３は、それぞれの固体光源４１２１に応じて設けられる反射ミラー４
１３１を複数有する。これら反射ミラー４１３１は、平行化レンズ４１２３を介して固体
光源４１２１から入射される平行光を、集光レンズ群４１４に向けて互いに略平行に反射
させる。
【００４１】
集光レンズ群４１４は、集光レンズ４１４１と、平行化レンズ４１４２と、均一化装置
４１４３とを有する。
集光レンズ４１４１は、それぞれの反射ミラー４１３１から入射される光を集光して光
束とし、平行化レンズ４１４２に向けて出射する。
平行化レンズ４１４２は、入射される光束を、当該光束の中心軸に沿う平行光に変換し
て、均一化装置４１４３に出射する。
【００４２】
均一化装置４１４３は、入射される光束の面内照度（当該光束の中心軸に直交する面内
における照度）を均一化するものであり、詳しい図示を省略するが、一対のレンズアレイ
と、これらを保持する保持部材とを有する。
これらのうち、一対のレンズアレイは、前述のレンズアレイ４２３，４２４と同様の構
成を有し、平行化レンズ４１４２から入射される光束を複数の部分光束に分割し、これら
複数の部分光束を、ダイクロイックプリズム４１５及びピックアップレンズ４１６を介し
て、波長変換装置４１７のホイール４１７１に形成された蛍光層４１７２上に重畳させる
。これにより、当該蛍光層４１７２には、面内照度が均一化された光が入射される。
【００４３】
ダイクロイックプリズム４１５は、所定波長未満の光を反射し、当該所定波長以上の光
を透過する分離層４１５１を有する。この分離層４１５１は、本実施形態では、均一化装
置４１４３から入射される紫外領域の光をピックアップレンズ４１６に向けて反射させ、
当該光の光路を略９０度屈曲させる。また、当該分離層４１５１は、ピックアップレンズ
４１６を介して入射される光（波長変換装置４１７で波長変換された光）を透過させる。
このダイクロイックプリズム４１５を透過した光は、上記ダイクロイックミラー４２２に
入射される。
【００４４】
ピックアップレンズ４１６は、ダイクロイックプリズム４１５を介して入射される各部
分光束を波長変換装置４１７のホイール４１７１における蛍光層４１７２の所定部位に集
光及び重畳させる。この他、ピックアップレンズ４１６は、当該波長変換装置４１７によ
り波長変換された光を集光し、ダイクロイックプリズム４１５を介して、上記ダイクロイ
ックミラー４２２に入射させる。
【００４５】
波長変換装置４１７は、入射された光の波長を変換して、当該変換された光を出射する
。この波長変換装置４１７は、ホイール４１７１及び回転手段４１７４を有する。
これらのうち、回転手段４１７４は、ホイール４１７１の中心軸を回転軸として回転さ
せるホイールモーターにより構成されている。この回転手段４１７４によってホイール４
１７１が回転されることにより、当該ホイール４１７１が冷却される。
【００４６】
ホイール４１７１は、ピックアップレンズ４１６に対向する表面に形成された反射層４
１７３と、当該反射層４１７３上に積層された蛍光層４１７２を有する。このような蛍光
層４１７２に含まれる蛍光体は、ピックアップレンズ４１６から入射される光を吸収して
励起されることにより、全方位に所定波長の光を出射する。なお、本実施形態では、当該
蛍光体は、紫外領域の光を吸収して、それぞれ比較的狭い波長帯の緑色光及び赤色光（例
えば、それぞれ最低波長と最高波長との差が１５ｎｍ程度の緑色光及び赤色光）を出射す
る。
このような蛍光体によって波長変換された光は、反射層４１７３により反射され、前述
のように、ピックアップレンズ４１６及びダイクロイックプリズム４１５を透過して、ダ
イクロイックミラー４２２に入射される。
【００４７】
［検出装置の構成］
図１に戻り、検出装置５Ａは、上記色分離装置４３によって分離された色光の強度を検
出する。具体的に、検出装置５Ａは、青色光の輝度を検出する青用検出部５ＡＢと、赤色
光の輝度を検出する赤用検出部５ＡＲとを有する。
これら検出部５ＡＢ，５ＡＲは、それぞれ同じ構成を有する。具体的に、青用検出部５
ＡＢは、センサー群５１及び光拡散層５２の他、フィルターとして機能する上記ダイクロ
イックミラー４３１により構成される。また、赤用検出部５ＡＲは、センサー群５３及び
光拡散層５４の他、フィルターとして機能する上記ダイクロイックミラー４３２により構
成される。すなわち、これら青用検出部５ＡＢ及び赤用検出部５ＡＲは、それぞれ本発明
の検出装置を構成し、センサー群５１，５３は、センサー装置に相当する。更に、青用検
出部５ＡＢにおいて、第１色光は青色光であり、赤用検出部５ＡＲにおいて、第１色光は
赤色光である。
【００４８】
青用検出部５ＡＢを構成するセンサー群５１は、反射ミラー４３３の裏側（光入射側と
は反対側）に配置されている。詳述すると、センサー群５１は、反射ミラー４３３の裏面
と光学部品用筐体４７との間に形成される空間ＳＰ１内において、当該光学部品用筐体４
７の壁面に取り付けられている。このようなセンサー群５１は、図示を省略するが、それ
ぞれ入射される光（すなわち青色光のうち所定波長範囲の光）の輝度を検出可能な複数の
光センサーがマトリクス状に配設された構成を有し、検出装置５Ａは、各光センサーによ
り検出された輝度を制御装置７に出力する。
光拡散層５２は、反射ミラー４３３とセンサー群５１との間に配置され、入射される光
が透過する際に当該光を拡散させる。これにより、反射ミラー４３３を透過して光拡散層
５４に入射された光は、拡散されて出射されるので、センサー群５１が有する光センサー
のそれぞれに、当該光を均一に入射させることができる他、光センサーの入射角依存性を
キャンセルできる。
【００４９】
赤用検出部５ＡＲを構成するセンサー群５３は、反射ミラー４４４の裏側（光入射側と
は反対側）に配置されている。詳述すると、センサー群５３は、反射ミラー４４４の裏面
と光学部品用筐体４７との間に形成される空間ＳＰ２内において、当該光学部品用筐体４
７の壁面に取り付けられている。このようなセンサー群５３は、上記センサー群５１と同
様に、入射される光（すなわち赤色光のうち所定波長範囲の光）の輝度を検出可能な複数
の光センサーがマトリクス状に配設された構成を有し、検出装置５Ａは、各光センサーに
より検出された輝度を制御装置７に出力する。
光拡散層５４は、反射ミラー４４４とセンサー群５３との間に配置され、入射される光
が透過する際に当該光を拡散させる。これにより、反射ミラー４４４を透過して光拡散層
５４に入射された光は、拡散されて出射されるので、センサー群５３が有する光センサー
のそれぞれに、当該光を均一に入射させることができる他、光センサーの入射角依存性を
キャンセルできる。
なお、本実施形態では、光拡散層５２，５４は、反射ミラー４３３，４４４の裏面に取
り付けられているが、これに限らず、当該反射ミラー４３３，４４４の裏面と、センサー
群５１，５３との間に配置されていればよい。
【００５０】
［調整機構の構成］
図３は、装置本体３の構成を示すブロック図である。
装置本体３は、上記のように、光学ユニット４及び検出装置５Ａの他、調整機構６及び
制御装置７を備える。
調整機構６は、上記センサー群５１，５３に入射される光の波長を調整するものであり
、当該調整機構６は、図３に示すように、センサー群５１に入射される青色光の波長を調
整する青用調整部６Ｂと、センサー群５３に入射される赤色光の波長を調整する赤用調整
部６Ｒと、を有する。
【００５１】
青用調整部６Ｂは、上記回動軸ＲＡ１を中心としてダイクロイックミラー４３１を回動
させることにより、当該ダイクロイックミラー４３１及び反射ミラー４３３を介してセン
サー群５１に入射される青色光の波長を調整する。
ここで、上記のように、ダイクロイックミラー４３１に形成された誘電体多層膜は、当
該誘電体多層膜に対する光の入射角（誘電体多層膜の表面の法線に対する入射光の中心軸
の角度）に応じて、分離される光の波長範囲が変化する。すなわち、当該入射角が変更さ
れると、ダイクロイックミラー４３１に入射される青色光のうち、当該ダイクロイックミ
ラー４３１を透過してセンサー群５１に入射される光の波長範囲が変化する。
このため、青用調整部６Ｂは、ダイクロイックミラー４３１を回動させて、当該ダイク
ロイックミラー４３１の誘電体多層膜に入射される光の入射角を変更させることにより、
センサー群５１に入射される青色光の波長範囲を変化させる。
【００５２】
赤用調整部６Ｒは、上記青用調整部６Ｂと同様に、上記回動軸ＲＡ２を中心としてダイ
クロイックミラー４３２を回動させて、当該ダイクロイックミラー４３２に形成された誘
電体多層膜への光の入射角を変化させる。これにより、赤用調整部６Ｒは、ダイクロイッ
クミラー４３２に入射される赤色光のうち、当該ダイクロイックミラー４３２を透過して
センサー群５３に入射される光の波長範囲を変化させる。
これら青用調整部６Ｂ及び赤用調整部６Ｒは、それぞれ、制御装置７による制御の下で
駆動するステッピングモーター等の駆動装置を備えて構成され、当該駆動装置の駆動量は
、当該制御装置７によって管理される。この駆動装置の駆動量から、ダイクロイックミラ
ー４３１，４３２の回動角を把握できる。
そして、詳しくは後述するが、制御装置７は、当該駆動装置の駆動量に基づくダイクロ
イックミラー４３１，４３２の回動角（或いは光の入射角）と、当該ダイクロイックミラ
ー４３１，４３２によって分離される光の波長範囲（ダイクロイックミラー４３１，４３
２を透過する光の波長範囲）とが関連付けられたテーブル（色分離情報）に基づいて、青
色光及び赤色光のピーク波長及びピーク輝度を決定する。
【００５３】
［制御装置の構成］
制御装置７は、ＣＰＵ（Central Processing Unit）、フラッシュメモリー及びＲＡＭ
（Random Access Memory）等が実装された構成を有し、上記操作装置から入力される操作
信号に応じて、或いは、自律的に、プロジェクター１Ａ全体の動作を制御する。この制御
装置７は、上記光源装置４１の点灯制御を行う他、接続された外部機器から受信される画
像情報を処理し、当該画像情報に応じて上記光変調装置４５２を動作させて、当該画像情
報に応じた画像を形成及び投射させる。
また、制御装置７は、上記検出装置５Ａから入力される各検出部５ＡＢ，５ＡＲによる
検出結果、及び、上記調整機構６の各調整部６Ｂ，６Ｒの駆動状態に基づいて、光源装置
４１から出射される光の輝度及び波長を取得して、青色光及び赤色光のピーク輝度及びピ
ーク波長を決定する。そして、制御装置７は、次回起動時に、これらピーク輝度及びピー
ク波長がプロジェクター１Ａの出荷時におけるピーク輝度及びピーク波長と異なる場合に
、決定されたピーク輝度及びピーク波長に基づいて、投射画像の色バランスを調整する画
質調整処理を実行する。
この画質調整処理を実行するために、制御装置７は、図３に示すように、記憶部７１、
画像処理部７２、動作制御部７３、情報取得部７４、取得判定部７５、ピーク決定部７６
及び画質調整部７７を有する。
【００５４】
記憶部７１は、上記フラッシュメモリーやフレームメモリーを有し、制御装置７によっ
てプロジェクター１Ａの動作を制御するために必要な各種プログラム及びデータを記憶し
ている。このようなデータとして、記憶部７１は、例えば、上記調整機構６の上記駆動量
に基づくダイクロイックミラー４３１，４３２の回動角（基準位置からの回動角）と、青
色光及び赤色光のうち、当該回動角に回動されたダイクロイックミラー４３１，４３２に
よって分離される光の波長範囲（透過波長範囲）と、が関連付けられたテーブル（色分離
情報）が記憶されている。なお、ダイクロイックミラー４３１，４３２の回動角に代えて
、当該ダイクロイックミラー４３１，４３２の回動後の誘電体多層膜に対する光の入射角
が設定されていてもよい。
また、記憶部７１は、後述する情報取得部７４によってそれぞれ検出装置５Ａから取得
された青色光及び赤色光の輝度を、上記ダイクロイックミラー４３１，４３２の回動角に
応じて記憶する。
更に、記憶部７１は、プロジェクター１Ａの出荷時における青色光及び赤色光のそれぞ
れのピーク輝度及びピーク波長を記憶している。
【００５５】
画像処理部７２は、上記外部機器から受信される画像情報を、上記記憶部７１のフレー
ムメモリーに展開及び描画する。この際、画像処理部７２は、当該フレームメモリー上に
展開された画像に対して所定の補正処理（ガンマ補正等）を実行する。
【００５６】
動作制御部７３は、記憶部７１に記憶されたプログラム及びデータに基づいて、プロジ
ェクター１Ａの動作を制御する。具体的に、動作制御部７３は、上記光学ユニット４、検
出装置５Ａ及び調整機構６の動作を制御する。
例えば、動作制御部７３は、上記光源装置４１の点灯を制御する他、上記フレームメモ
リー上に展開された画像に基づく画像信号を各光変調装置４５２に出力する。また、動作
制御部７３は、調整機構６の各調整部６Ｂ，６Ｒに動作信号を出力して、当該調整部６Ｂ
，６Ｒによるダイクロイックミラー４３１，４３２の回動動作を制御する。この他、動作
制御部７３は、ダイクロイックミラー４３１，４３２が回動された際に入射される光の輝
度を、上記各検出部５ＡＢ，５ＡＲにそれぞれ検出させる。
情報取得部７４は、上記外部機器等から受信される情報、上記操作装置から入力される
操作信号、及び、検出装置５Ａから検出結果を取得する。
【００５７】
取得判定部７５は、必要な波長範囲の輝度検出が実施されたか否かを判定する。換言す
ると、取得判定部７５は、青色光及び赤色光の波長帯において必要な波長範囲の光が分離
されて上記検出部５ＡＢ，５ＡＲに入射されるように、ダイクロイックミラー４３１，４
３２が回動されたか否かを判定する。
この取得判定部７５により、必要な波長範囲の輝度検出が実施されていないと判定され
ると、上記動作制御部７３による制御の下、調整部６Ｂ，６Ｒによってダイクロイックミ
ラー４３１，４３２が上記回動軸ＲＡ１，ＲＡ２を中心として回動され、当該ダイクロイ
ックミラー４３１，４３２の誘電体多層膜に対する光の入射角が変更される。そして、動
作制御部７３による制御の下、各検出部５ＡＢ，５ＡＲによるそれぞれの入射光の輝度検
出が行われ、検出結果を示す検出信号が情報取得部７４により取得される。この後、取得
判定部７５による判定処理が再度行われる。
【００５８】
ピーク決定部７６は、情報取得部７４によって取得された検出装置５Ａの検出結果に基
づいて、青色光及び赤色光のそれぞれのピーク輝度（最大輝度）及びピーク波長（ピーク
輝度を示す光の波長）を決定する。具体的に、ピーク決定部７６は、ダイクロイックミラ
ー４３１，４３２の回動角に応じて当該ダイクロイックミラー４３１，４３２を透過する
青色光及び赤色光の波長範囲を上記記憶部７１から取得し、それぞれの波長範囲の光の輝
度を比較することにより、青色光及び赤色光のそれぞれのピーク輝度及びピーク波長を決
定する。
【００５９】
画質調整部７７は、決定されたピーク波長及びピーク輝度に基づいて、光学ユニット４
によって形成される画像の画質を調整する。具体的に、画質調整部７７は、当該ピーク波
長及びピーク輝度に基づいて、形成される画像の色バランス（ホワイトバランス）を調整
する。
例えば、赤色光及び緑色光を出射する第１光源部４１１の劣化が、青色光を出射する第
２光源部４１９より進み、それぞれ検出された青色光及び赤色光の輝度のうち、赤色光の
輝度が青色光の輝度より低い場合には、第２光源部４１９に対する印加電圧を下げる等し
て、当該第２光源部４１９から出射される青色光の輝度を低下させる。これにより、青色
光の輝度と、赤色光及び緑色光の輝度とのバランスを維持できる。
また、画質調整部７７は、決定されたピーク波長に応じて、光変調装置４５２によって
形成される画像の色補正、すなわち、上記フレームメモリー上に描画された画像の色補正
を、画像処理部７２に実施させる。
なお、固体光源に対する印加電圧が変化した場合、当該固体光源から出射される光の波
長は変化する。このため、第１光源部４１１及び第２光源部４１９の少なくとも一方に印
加する電圧を変更した場合には、これに合わせて、画質調整部７７は、上記色補正を実施
させる。
【００６０】
［画質調整処理］
図４は、画質調整処理を示すフローチャートである。
次に、上記制御装置７よって実行される画質調整処理を説明する。この画質調整処理は
、制御装置７を構成するＣＰＵ等の処理回路が、記憶部７１に記憶された画質調整プログ
ラムを所定のタイミングにて処理することによって実行される。なお、当該タイミングと
しては、画質調整処理を実行させる入力操作が行われた場合や、プロジェクター１Ａの累
積駆動時間が所定時間に達した場合が例示される。
この画質調整処理では、図４に示すように、まず、動作制御部７３が、青用調整部６Ｂ
によりダイクロイックミラー４３１を回動させ（ステップＳ１）、回動後のダイクロイッ
クミラー４３１によって分離される青色光のうち、それぞれ略一定の波長幅を有し、かつ
、それぞれ異なる波長範囲の光の輝度を、青用検出部５ＡＢにより検出させる（ステップ
Ｓ２）。
【００６１】
この後、取得判定部７５が、青色光の波長域における必要な波長範囲の輝度検出が完了
されたか否かを判定する（ステップＳ３）。
ここで、必要な波長範囲での輝度検出が完了されていないと判定されると、制御装置７
は、処理をステップＳ１に戻し、動作制御部７３が、ダイクロイックミラー４３１を更に
所定角度回動させて上記波長範囲を変更させ、青用検出部５ＡＢに、入射される光の輝度
（青色光において変更された波長範囲の光の輝度）を検出させる。
【００６２】
一方、必要な波長範囲での輝度検出が完了されたと判定されると、動作制御部７３は、
ダイクロイックミラー４３１の位置を元に戻すとともに、赤用調整部６Ｒによりダイクロ
イックミラー４３２を回動させ（ステップＳ４）、回動後のダイクロイックミラー４３２
によって分離される赤色光のうち、それぞれ略一定の波長幅を有し、かつ、それぞれ異な
る波長範囲の光の輝度を、赤用検出部５ＡＲにより検出させる（ステップＳ５）。
【００６３】
この後、取得判定部７５が、赤色光の波長域における必要な波長範囲の輝度検出が完了
されたか否かを判定する（ステップＳ６）。
ここで、必要な波長範囲での輝度検出が完了されていないと判定されると、制御装置７
は、処理をステップＳ４に戻し、動作制御部７３が、ダイクロイックミラー４３２を更に
所定角度回動させて上記波長範囲を変更させ、赤用検出部５ＡＲに、入射される光の輝度
（赤色光において変更された波長範囲の光の輝度）を検出させる。
一方、必要な波長範囲での輝度検出が完了されたと判定されると、ピーク決定部７６が
、ダイクロイックミラー４３１，４３２のそれぞれの回動角に応じてそれぞれ検出された
光の輝度、並びに、上記記憶部７１に記憶されたテーブルに基づいて、青色光及び赤色光
のそれぞれのピーク輝度及びピーク波長を決定する（ステップＳ７）。
【００６４】
そして、画質調整部７７が、決定された青色光及び赤色光のピーク輝度及びピーク波長
に基づいて、上記のように、光源装置４１の点灯、及び、描画画像の色補正等を含む、投
射画像の色バランス調整を行う（ステップＳ８）。
このステップＳ８の処理が完了されると、画質調整処理は終了される。このような画質
調整処理により、色バランスが適正化された画像を投射できる。
なお、上記画質調整処理では、ステップＳ１〜Ｓ３にて行われる青色光の輝度検出処理
の後、ステップＳ４〜Ｓ６にて行われる赤色光の輝度検出処理を行った。しかしながら、
これに限らず、赤色光の輝度検出処理を先に実施し、青色光の輝度検出処理を後に実施し
てもよく、これら輝度検出処理を同時に実施してもよい。
また、プロジェクター１Ａの電源オフ時に上記ステップＳ１〜Ｓ７を実行し、当該プロ
ジェクター１Ａの次回起動時に、決定された青色光及び赤色光のそれぞれのピーク波長及
びピーク輝度と、記憶部７１に記憶された出荷時の青色光及び赤色光のそれぞれのピーク
波長及びピーク輝度とを比較し、それぞれのピーク波長及びピーク輝度の少なくともいず
れかが異なる場合に、上記ステップＳ８を実行してもよい。
【００６５】
［第１実施形態の効果］
以上説明した本実施形態に係るプロジェクター１Ａによれば、以下の効果がある。
ダイクロイックミラー４３１に入射される青色光のうち、当該ミラー４３１により分離
されて検出装置５Ａの青用検出部５ＡＢに入射される光の波長は、上記調整機構６による
当該ミラー４３１の回動角に応じて変化する。同様に、ダイクロイックミラー４３２に入
射される赤色光のうち、当該ミラー４３２により分離されて検出装置５Ａの赤用検出部５
ＡＲに入射される光の波長は、上記調整機構６による当該ミラー４３２の回動角に応じて
変化する。そして、各青用検出部５ＡＢ及び赤用検出部５ＡＲが、それぞれダイクロイッ
クミラー４３１，４３２を回動させた際に入射される光の輝度を検出する。これによれば
、検出部５ＡＢ，５ＡＲの検出結果に基づいて、青色光及び赤色光のそれぞれのピーク輝
度及びピーク波長を決定できる。そして、制御装置７の画質調整部７７が、上記のように
、光源装置４１及び光変調装置４５２の動作を制御することにより、上記投射光学装置４
６によって投射される画像の色バランスを調整できる。
また、本実施形態では、第１光源部４１１は、赤色光及び緑色光を出射する構成である
ので、赤色光のピーク波長及びピーク輝度の変化を把握することにより、緑色光のピーク
波長及びピーク輝度の変化を把握できる。従って、赤、緑及び青の各色光のピーク波長及
びピーク輝度を把握できるので、投射画像の色バランスの調整をより適切に行うことがで
きる。
【００６６】
プロジェクター１Ａでは、調整機構６によって、誘電体多層膜を有するダイクロイック
ミラー４３１，４３２を回動させ、それぞれの入射光に対する角度を調整することによっ
て、当該ミラー４３１，４３２に入射される青色光及び赤色光のうち、当該ミラー４３１
，４３２から出射される（透過される）光の波長範囲（波長帯）を変更する。これにより
、青用検出部５ＡＢ及び赤用検出部５ＡＲに入射される光の波長範囲を変更できる。この
ようなダイクロイックミラー４３１，４３２は、光源装置４１から出射された光から複数
の色光を分離する構成として広く用いられているので、調整機構６及びセンサー群５１，
５３を追加することによって、青色光及び赤色光のそれぞれのピーク輝度及びピーク波長
、ひいては、緑色光を含む３色の各色光のピーク輝度及びピーク波長を決定できる。
【００６７】
センサー群５１，５３は、それぞれ複数の光センサーがマトリクス状に配列された構成
を有し、センサー群５１，５３と、ダイクロイックミラー４３１，４３２との間には、光
拡散層５２，５４が配置されている。これによれば、当該光拡散層５２，５４によって、
青色光及び赤色光のうち、ダイクロイックミラー４３１，４３２により分離された光（当
該ミラー４３１，４３２を透過した光）を、センサー群５１，５３の各光センサーに分散
して入射させることができる。従って、１つの光センサーに、検出限界を超える光が入射
されることを抑制でき、青色光及び赤色光の輝度を適切に検出できる。
【００６８】
制御装置７のピーク決定部７６は、検出装置５Ａによる検出結果、入射される光の輝度
を検出した際のミラー４３１，４３２の回動角、並びに、上記記憶部７１に記憶されたテ
ーブルに基づいて、青色光及び赤色光のピーク波長及びピーク輝度を決定する。そして、
画質調整部７７は、決定されたピーク波長及びピーク輝度に基づいて、上記のように光源
装置４１及び光変調装置４５２を制御して、投射画像（表示画像）の色バランスを調整す
る。これによれば、プロジェクター１Ａの使用当初や前回調整時から変化した輝度及び波
長に応じた投射画像の色調整を実行できる。従って、適切な色バランスの画像を確実に投
射及び表示できる。
【００６９】
光源装置４１は、赤色光及び緑色光を出射する第１光源部４１１と、青色光を出射する
第２光源部４１９と、を有する。これらのうち、少なくとも１つの光源部から出射される
色光の輝度及び波長が上記要因によって変化した場合でも、当該光の輝度を適切かつ確実
に検出できる。そして、例えば、第２光源部４１９から出射される青色光の輝度が低下し
た場合に、変化した輝度に合わせるように、第１光源部４１１の点灯を制御できる。これ
により、色バランスを適切に維持できるので、適切な色バランスの投射画像を投射及び表
示できる。
【００７０】
［第１実施形態の変形］
上記第１実施形態では、第１光源部４１１が、それぞれ同じ輝度の赤色光及び緑色光を
出射することから、決定された赤色光の輝度及び波長の変化に基づいて、緑色光の輝度及
び波長の変化を把握できる。このため、部品点数削減の観点から、緑色光の輝度を検出す
る緑用検出部については、プロジェクター１Ａに設けられていない。
しかしながら、例えば、光源装置４１が、赤、緑及び青の色光をそれぞれ出射する赤用
光源、緑用光源及び青用光源を有する場合には、上記検出装置５Ａが緑用検出部を設ける
構成としてもよい。この場合、当該緑用検出部は、例えば、ダイクロイックミラー４３２
により分離された緑色光の光路上に設けられる緑用のフィールドレンズ４５１近傍に設け
ることが提案される。これによれば、緑用検出部が緑色光の光路を塞ぐことを防止しつつ
、フィールドレンズ４５１から漏れ出る緑色光の輝度を検出できる。また、輝度及び波長
が変化する前の各色光の輝度及び波長（プロジェクター１Ａの出荷時の各色光の輝度及び
波長）と比較することにより、各色光の輝度及び波長の変化を把握できるので、現在の各
色光の輝度及び波長に応じて各光源の点灯制御、及び、描画画像の色補正を行うことによ
って、より詳細に投射画像の色バランス調整を実施できる。
【００７１】
［第２実施形態］
次に、本発明の第２実施形態について説明する。
本実施形態に係るプロジェクターは、上記プロジェクター１Ａと同様の構成及び機能を
有する。ここで、当該プロジェクター１Ａでは、ダイクロイックミラー４３１，４３２に
入射される青色光及び赤色光のうち、当該ミラー４３１，４３２にて分離されて検出装置
５Ａの各センサー群５１，５３に入射される光の波長範囲を、当該ミラー４３１，４３２
を回動させることにより変更した。これに対し、本実施形態に係るプロジェクターでは、
各センサー群の光入射側に配置されたフィルターを回動させることによって、当該光の波
長範囲を変更する。この点で、本実施形態に係るプロジェクターと、上記プロジェクター
１Ａとは相違する。なお、以下の説明では、既に説明した部分と同一又は略同一である部
分については、同一の符号を付して説明を省略する。
【００７２】
図５は、本実施形態に係るプロジェクター１Ｂが備える検出装置５Ｂの青用検出部５Ｂ
Ｂの構成を示す模式図であり、図６は、当該検出装置５Ｂが備える赤用検出部５ＢＲの構
成を示す模式図である。
本実施形態に係るプロジェクター１Ｂは、図５及び図６に示すように、検出装置５Ａに
代えて検出装置５Ｂを有し、上記調整機構６が、当該検出装置５Ｂを構成するフィルター
５５（図５）、５６（図６）を回動させる他は、上記プロジェクター１Ａと同様の構成及
び機能を有する。
この検出装置５Ｂは、ダイクロイックミラー４３１にて分離された青色光の輝度を検出
する青用検出部５ＢＢ（図５）と、ダイクロイックミラー４３２にて分離された赤色光の
輝度を検出する赤用検出部５ＢＲ（図６）と、を有する。
【００７３】
なお、本実施形態に係るプロジェクター１Ｂが備えるダイクロイックミラー４３１では
、青色光の透過波長範囲、並びに、緑色光及び赤色光の反射波長範囲はそれぞれ広く設定
されており、青に分類される波長の光は全て透過可能であり、また緑及び赤に分類される
波長の光は全て反射可能である。同様に、ダイクロイックミラー４３２では、赤色光の透
過波長範囲、及び、緑色光の反射波長範囲はそれぞれ広く設定されており、赤に分類され
る波長の光は全て透過可能であり、また緑に分類される波長の光は全て反射可能である。
【００７４】
検出装置５Ｂの青用検出部５ＢＢは、上記青用検出部５ＡＢと同様に上記空間ＳＰ１内
に配置される。この青用検出部５ＢＢは、図５に示すように、上記青用検出部５ＡＢと同
様のセンサー群５１及び光拡散層５２を有する他、フィルター５５を更に有する。すなわ
ち、本実施形態における青用検出部５ＢＢは、ダイクロイックミラー４３１を含まない。
このフィルター５５は、青色光に分類される波長域における一定の波長範囲（波長幅）
の波長の光を透過するバンドパスフィルターであり、ガラス等の透光性基板上に誘電体多
層膜が形成された構成を有する。このため、フィルター５５に形成された誘電体多層膜へ
の光の入射角が変わると、透過する光の波長範囲がシフトする。なお、フィルター５５の
透過波長範囲は、青に分類される波長範囲において比較的狭い範囲（例えば１５ｎｍ程度
の範囲）に設定されている。
【００７５】
フィルター５５は、反射ミラー４３３を透過して入射される青色光ＢＬの中心軸に直交
する方向に沿う回動軸ＲＡ３（換言すると、フィルター５５の光入射面の法線に対する直
交方向に沿う回動軸ＲＡ３）を中心として、図５におけるＡ３方向に回動可能とされてい
る。そして、フィルター５５は、上記青用調整部６Ｂによって、当該回動軸ＲＡ３を中心
として回動される。これにより、反射ミラー４３３を透過した青色光のうち、フィルター
５５を透過してセンサー群５１に入射される光の波長範囲が変更される。
【００７６】
このようなフィルター５５とセンサー群５１との間に配置される光拡散層５２は、本実
施形態では、フィルター５５の光出射側にて、当該フィルター５５と一体化されている。
これによれば、光拡散層５２とセンサー群５１との間の距離を比較的長く確保できる。従
って、当該光拡散層５２によって拡散された光をセンサー群５１に入射させることができ
、当該センサー群５１の入射角依存性をキャンセルできる。しかしながら、これに限らず
、フィルター５５と光拡散層５２とは別体であってもよい。
【００７７】
赤用検出部５ＢＲは、上記空間ＳＰ２内に配置される。この赤用検出部５ＢＲは、図６
に示すように、上記赤用検出部５ＡＲと同様のセンサー群５３及び光拡散層５４を備える
他、上記青用検出部５ＢＢのフィルター５５と同様のフィルター５６を備える。すなわち
、本実施形態における青用検出部５ＢＢは、ダイクロイックミラー４３２を含まない。
このフィルター５６は、赤色光に分類される波長域における一定の波長範囲（波長幅）
の波長の光を透過するバンドパスフィルターであり、ガラス等の透光性基板上に誘電体多
層膜が形成された構成を有する。このため、フィルター５６に形成された誘電体多層膜へ
の光の入射角が変わると、透過する光の波長範囲がシフトする。なお、フィルター５６の
透過波長範囲は、上記フィルター５５と同様に、赤に分類される波長範囲において比較的
狭い範囲（例えば１５ｎｍ程度の範囲）に設定されている。
【００７８】
そして、フィルター５６は、反射ミラー４４４を透過して入射される赤色光ＲＬの中心
軸に直交する方向に沿う回動軸ＲＡ４（換言すると、フィルター５６の光入射面の法線に
対する直交方向に沿う回動軸ＲＡ４）を中心として、図６におけるＡ４方向に回動可能と
されている。そして、フィルター５６は、上記赤用調整部６Ｒによって、当該回動軸ＲＡ
４を中心として回動される。これにより、反射ミラー４４４を透過した赤色光のうち、フ
ィルター５６を透過してセンサー群５３に入射される光の波長範囲が変更される。
フィルター５６とセンサー群５３との間に配置される光拡散層５４は、フィルター５６
の光出射側にて、当該フィルター５６と一体化されている。しかしながら、これに限らず
、フィルター５６と光拡散層５４とは別体であってもよい。
【００７９】
本実施形態においては、記憶部７１には、上記テーブルに代えて、フィルター５５，５
６の回動角（基準位置からの回動角）と、当該回動角に回動されたフィルター５５，５６
を透過する光の波長範囲と、が関連付けられたテーブル（色分離情報）が記憶されている
。
そして、ピーク決定部７６が、青色光及び赤色光のそれぞれのピーク波長及びピーク輝
度を決定し、これらピーク波長及びピーク輝度に基づいて、画質調整部７７が、投射され
る画像の色バランスを調整する。
なお、上記と同様に、検出装置５Ｂが、センサー群、光拡散層及びフィルターを有する
緑用検出部を備え、調整機構６が、緑用検出部のフィルターを回動させ、制御装置７が、
緑色光のピーク輝度及びピーク波長を決定し、投射画像の画質調整を実施する構成として
もよい。
【００８０】
［第２実施形態の効果］
以上説明した本実施形態に係るプロジェクター１Ｂによれば、上記プロジェクター１Ａ
と同様の効果を奏することができる他、以下の効果を奏することができる。
誘電体多層膜が形成されたフィルター５５，５６が、調整機構６によって回動されるこ
とにより、光源装置４１からそれぞれ出射されてダイクロイックミラー４３１，４３２に
より分離される青色光及び赤色光のうち、それぞれ異なる波長範囲の光をセンサー群５１
，５３に入射させることができる。これによれば、当該青色光及び赤色光のピーク輝度を
検出できる。また、各フィルター５５，５６の回動角、及び、上記テーブルに基づいて、
光源装置４１からそれぞれ出射されてミラー４３１，４３２により分離される青色光及び
赤色光のピーク波長を決定できる。従って、光源装置４１から出射される光の波長が変化
した場合でも、当該光のピーク波長及びピーク輝度を確実に決定でき、これらに基づいて
、色バランスを調整した投射画像を投射できる。
また、プロジェクター１Ｂでは、調整機構６は、フィルター５５，５６の角度を調整す
る。これによれば、ダイクロイックミラー４３１，４３２の位置が変更される場合に比べ
て、画像を安定して投射できる。
【００８１】
［第３実施形態］
次に、本発明の第３実施形態について説明する。
本実施形態に係るプロジェクターは、上記プロジェクター１Ｂと同様の構成を有する。
しかしながら、当該プロジェクター１Ｂでは、フィルター５５，５６及び光拡散層５２，
５４と、センサー群５１，５３とが、それぞれ別体として配置されていた。これに対し、
本実施形態に係るプロジェクターでは、これらセンサー群、光拡散層及びフィルターが一
体化されている。この点で、本実施形態に係るプロジェクターと、上記プロジェクター１
Ｂとは相違する。なお、以下の説明では、既に説明した部分と同一又は略同一である部分
については、同一の符号を付して説明を省略する。
【００８２】
図７は、本実施形態に係るプロジェクター１Ｃが備える検出装置５Ｃの青用検出部５Ｃ
Ｂの構成を示す模式図であり、図８は、当該検出装置５Ｃの赤用検出部５ＣＲの構成を示
す模式図である。
本実施形態に係るプロジェクター１Ｃは、図７及び図８に示すように、検出装置５Ｂに
代えて検出装置５Ｃを備え、上記調整機構６が、当該検出装置５Ｃの青用検出部５ＣＢ（
図７）及び赤用検出部５ＣＲ（図８）を回動させる他は、上記プロジェクター１Ｂと同様
の構成及び機能を有する。
この検出装置５Ｃは、上記検出装置５Ｂと同様に、ダイクロイックミラー４３１により
分離される青色光の輝度を検出する青用検出部５ＣＢ（図７）と、ダイクロイックミラー
４３２により分離される赤色光の輝度を検出する赤用検出部５ＣＲ（図８）と、を有する
。
【００８３】
青用検出部５ＣＢは、上記空間ＳＰ１（図１参照）内に配置される。この青用検出部５
ＣＢは、図７に示すように、センサー群５１、光拡散層５２及びフィルター５５が、保持
部材５７によって一体化された構造を有する。
このため、フィルター５５が、青用調整部６Ｂによって上記回動軸ＲＡ３を中心として
Ａ３方向に回動されると、青用検出部５ＣＢ全体が回動される。
【００８４】
また、赤用検出部５ＣＲは、上記空間ＳＰ２（図１参照）内に配置される。この赤用検
出部５ＣＲも、青用検出部５ＣＢと同様に、図８に示すように、センサー群５３、光拡散
層５４及びフィルター５６が、保持部材５８によって一体化された構造を有する。
このため、フィルター５６が、赤用調整部６Ｒによって上記回動軸ＲＡ４を中心として
Ａ４方向に回動されると、赤用検出部５ＣＲ全体が回動される。
【００８５】
［第３実施形態の効果］
以上説明した本実施形態に係るプロジェクター１Ｃによれば、上記プロジェクター１Ｂ
と同様の効果を奏することができる。
上記調整機構６によってフィルター５５，５６が回動される際には、センサー群５１，
５３の位置も変更される。これによれば、当該フィルター５５，５６から出射された光を
センサー群５１，５３に確実に入射させることができる。従って、青色光及び赤色光の輝
度を確実に検出できる。
【００８６】
更に、当該プロジェクター１Ｃが有する検出装置５Ｃの青用検出部５ＣＢ及び赤用検出
部５ＣＲは、保持部材５７，５８によって一体化されている。このため、フィルター５５
，５６が入射される光の中心軸に対して傾斜すると、センサー群５１，５３も傾斜する。
これらセンサー群５１，５３は、上記のように入射角依存性を有することから、当該セン
サー群５１，５３に対する光の入射角が変更されると、検出精度が変化する。これに対し
、上記光拡散層５２，５４が、それぞれ、センサー群５１，５３とフィルター５５，５６
との間に配置されていることにより、当該センサー群５１，５３の入射角依存性をキャン
セルできる。従って、各センサー群５１，５３により、入射される青色光及び赤色光のそ
れぞれの輝度を安定して検出できる。
【００８７】
［第４実施形態］
次に、本発明の第４実施形態について説明する。
本実施形態に係るプロジェクターは、上記プロジェクター１Ａ〜１Ｃと同様の構成及び
機能を有する。ここで、当該プロジェクター１Ａ〜１Ｃでは、上記空間ＳＰ１内に青用検
出部５ＡＢ，５ＢＢ，５ＣＢを配置し、上記空間ＳＰ２内に赤用検出部５ＡＲ，５ＢＲ，
５ＣＲを配置し、各検出部にて、それぞれ入射される青色光及び赤色光の輝度を上記波長
範囲毎に検出した。これに対し、本実施形態に係るプロジェクターでは、赤、緑及び青の
各色光の輝度を検出可能なＲＧＢセンサーを色合成装置４５３に応じた位置に配置し、当
該ＲＧＢセンサーにより、各色光の輝度を検出する。この点で、本実施形態に係るプロジ
ェクターと、上記プロジェクター１Ａ〜１Ｃとは相違する。なお、以下の説明では、既に
説明した部分と同一又は略同一である部分については、同一の符号を付して説明を省略す
る。
【００８８】
図９は、本実施形態に係るプロジェクター１Ｄの構成を示す模式図である。
本実施形態に係るプロジェクター１Ｄは、検出装置５Ａ及び調整機構６に代えて、検出
装置５Ｄ及び調整機構６Ｄ（図１１参照）を備える他は、上記プロジェクター１Ａと同様
の構成及び機能を有する。なお、ダイクロイックミラー４３１，４３２の特性は、上記第
２実施形態にて示したダイクロイックミラー４３１，４３２の特性と同じである。
これらのうち、検出装置５Ｄは、図９に示すように、上記色合成装置４５３の３つの光
入射面４５３Ｒ，４５３Ｇ、４５３Ｂ及び光出射面４５３Ｓに直交する端面のうち一方の
端面に４５３Ａと対向する位置に設けられている。具体的に、検出装置５Ｄは、当該端面
４５３Ａにおける光出射面４５３Ｓ側の部位と対向する位置に配置されている。
【００８９】
図１０は、検出装置５Ｄの構成を示す模式図である。
この検出装置５Ｄは、図１０に示すように、センサー群５Ｄ１、フィルター５Ｄ２及び
光拡散層５Ｄ３を有し、検出装置５Ｄの光入射側から順に、フィルター５Ｄ２、光拡散層
５Ｄ３、センサー群５Ｄ１の順に積層されている。すなわち、センサー群５Ｄ１、フィル
ター５Ｄ２及び光拡散層５Ｄ３は、一体化されている。
フィルター５Ｄ２には、上記端面４５３Ａから漏れ出る赤、緑及び青の各色光が入射さ
れる。このフィルター５Ｄ２は、赤、緑及び青に分類される各色光を透過するフィルター
部５Ｄ２Ｒ，５Ｄ２Ｇ，５Ｄ２Ｂがマトリクス状に配列された構成を有する。具体的に、
それぞれのフィルター５Ｄ２は、フィルター部５Ｄ２Ｒ，５Ｄ２Ｇ，５Ｄ２Ｂが、この順
序で縦横に繰り返し配列された構成を有する。そして、各フィルター部５Ｄ２Ｒ，５Ｄ２
Ｇ，５Ｄ２Ｂに入射された光は、それぞれの透過波長範囲に応じた光を透過させて、光拡
散層５Ｄ３に入射させる。
【００９０】
ここで、各フィルター部５Ｄ２Ｒ，５Ｄ２Ｇ，５Ｄ２Ｂは、誘電体多層膜により形成さ
れたバンドパスフィルターである。これらのうち、フィルター部５Ｄ２Ｒは、赤に分類さ
れる波長範囲における所定の波長範囲（例えば１５ｎｍの波長幅を有する範囲）内の光を
透過させる。同様に、フィルター部５Ｄ２Ｇ，５Ｄ２Ｂは、それぞれ緑及び青に分類され
る波長範囲における所定の波長範囲内の光を透過させる。
【００９１】
光拡散層５Ｄ３は、フィルター５Ｄ２から入射される光を拡散させて、センサー群５Ｄ
１に入射させる機能を有する。詳述すると、光拡散層５Ｄ３は、上記各フィルター部５Ｄ
２Ｒ，５Ｄ２Ｇ，５Ｄ２Ｂから入射される各色光を、センサー群５Ｄ１において対応する
光センサーに向けて拡散させて出射する。
【００９２】
センサー群５Ｄ１は、複数の光センサー５Ｄ１Ｒ，５Ｄ１Ｇ，５Ｄ１Ｂがマトリクス状
に配列された構成を有する。具体的に、センサー群５Ｄ１は、フィルター部５Ｄ２Ｒに応
じて配置される赤用センサー５Ｄ１Ｒと、フィルター部５Ｄ２Ｇに応じて配置される緑用
センサー５Ｄ１Ｇと、フィルター部５Ｄ２Ｂに応じて配置される青用センサー５Ｄ１Ｂと
、を有する。これら光センサー５Ｄ１Ｒ，５Ｄ１Ｇ，５Ｄ１Ｂは、それぞれ、入射される
光の輝度、すなわち、赤、緑及び青の各色光のうち、フィルター部５Ｄ２Ｒ，５Ｄ２Ｇ，
５Ｄ２Ｂを透過した光の輝度を検出する。そして、検出された各色光の輝度は、制御装置
７に出力される。
なお、各光センサー５Ｄ１Ｒ，５Ｄ１Ｇ，５Ｄ１Ｂは、上記のように、入射角依存性を
有するが、当該入射角依存性は、センサー群５Ｄ１の光入射側に位置する光拡散層５Ｄ３
によってキャンセルされる。
【００９３】
図１１は、プロジェクター１Ｄの構成を示すブロック図である。なお、図１１において
は、一部の構成の図示を省略している。
調整機構６Ｄは、上記調整機構６と同様にステッピングモーター等の駆動装置を有し、
図１１に示すように、制御装置７から入力される駆動信号に基づいて動作する。この調整
機構６Ｄは、フィルター５Ｄ２が一体的に設けられた検出装置５Ｄを回動させる。具体的
に、調整機構６Ｄは、フィルター５Ｄ２における光入射面の法線に対する直交方向に沿う
回動軸ＲＡ５（図１０参照）を中心として、当該フィルター５Ｄ２を回動させる。
【００９４】
このような調整機構６Ｄによって検出装置５Ｄが回動されると、上記端面４５３Ａから
入射される光が、各フィルター部５Ｄ２Ｒ，５Ｄ２Ｇ，５Ｄ２Ｂに形成された誘電体多層
膜に入射される際の角度（入射角）が変更される。そして、誘電体多層膜は、上記のよう
に入射角依存性を有することから、当該入射角の変更に応じて、各フィルター部５Ｄ２Ｒ
，５Ｄ２Ｇ，５Ｄ２Ｂを透過する光の波長範囲がシフトする。
このように、調整機構６Ｄが、検出装置５Ｄを回動させて、フィルター５Ｄ２を透過し
てセンサー群５Ｄ１に入射される赤、緑及び青の各色光の波長範囲を変更しつつ、センサ
ー群５Ｄ１が、検出装置５Ｄの回動角に応じて入射される各色光の輝度を検出することに
より、ピーク決定部７６が、赤、緑及び青の各色光のピーク波長及びピーク輝度を決定で
きる。
【００９５】
ここで、制御装置７の記憶部７１には、上記テーブルに代えて、調整機構６Ｄによる検
出装置５Ｄの回動角（基準位置からの回動角）と、当該回動角に回動された際のフィルタ
ー５Ｄ２を透過する赤、緑及び青の各色光の波長範囲と、が関連付けられたテーブルが記
憶されている。
そして、制御装置７が、上記画質調整処理と同様の処理を実行して、ピーク決定部７６
が、各色光のピーク波長及びピーク輝度を決定し、画質調整部７７が、それぞれ決定され
た各色光のピーク波長及びピーク輝度に基づいて、光源装置４１の点灯制御、及び、光変
調装置の動作制御等を含む投射画像の色調整を実行する。
これにより、色バランスが適正化された画像を投射可能となる。
【００９６】
［第４実施形態の効果］
以上説明した本実施形態に係るプロジェクター１Ｄによれば、上記プロジェクター１Ａ
と同様の効果を奏することができる他、以下の効果を奏することができる。
検出装置５Ｄは、フィルター部５Ｄ２Ｒ，５Ｄ２Ｇ，５Ｄ２Ｂがマトリクス状に配列さ
れたフィルター５Ｄ２と、これらフィルター部５Ｄ２Ｒ，５Ｄ２Ｇ，５Ｄ２Ｂに応じて設
けられ、入射される光の輝度を検出する光センサー５Ｄ１Ｒ，５Ｄ１Ｇ，５Ｄ１Ｂがマト
リクス状に配列されたセンサー群５Ｄ１と、を有する。また、このような検出装置５Ｄは
、調整機構６Ｄによって回動される。これによれば、同じ色（赤、緑及び青）にそれぞれ
分類されるものの、それぞれ波長が異なる光の輝度を検出できる。従って、赤、緑及び青
の各色光のピーク輝度及びピーク波長を決定できるので、投射画像の色バランスをより適
切に調整できる。
【００９７】
［第５実施形態］
次に、本発明の第５実施形態について説明する。
本実施形態に係るプロジェクターは、上記プロジェクター１Ｂ，１Ｃと同様の構成を有
する。ここで、上記プロジェクター１Ｂ，１Ｃでは、フィルター５５，５６を回動させる
ことにより、センサー群５１，５３に入射される光の波長範囲を変更していた。これに対
し、本実施形態に係るプロジェクターでは、それぞれ透過波長範囲（分離波長範囲）が異
なる複数のフィルター部に応じて光センサーを配置することによって、フィルターを回動
させることなく、光源装置から出射された各色光のピーク波長及びピーク輝度を決定する
。この点で、本実施形態に係るプロジェクターと、上記プロジェクター１Ｂ，１Ｃとは相
違する。なお、なお、以下の説明では、既に説明した部分と同一又は略同一である部分に
ついては、同一の符号を付して説明を省略する。
【００９８】
図１２は、本実施形態に係るプロジェクター１Ｅが備える検出装置５Ｅの青用検出部５
ＥＢの構成を示す模式図である。
本実施形態に係るプロジェクター１Ｅは、検出装置５Ｃに代えて検出装置５Ｅを有し、
調整機構６を有しない他は、上記プロジェクター１Ｃと同様の構成及び機能を有する。
この検出装置５Ｅは、上記検出装置５Ｃと同様に、上記空間ＳＰ１（図１参照）内に配
置され、ダイクロイックミラー４３１にて分離された青色光の輝度を検出する青用検出部
５ＥＢ（図１２）と、上記空間ＳＰ２（図１参照）内に配置され、ダイクロイックミラー
４３２にて分離された赤色光の輝度を検出する赤用検出部（図示省略）と、を有する。
【００９９】
これらのうち、青用検出部５ＥＢは、図１２に示すように、センサー群５Ｅ１及びフィ
ルター５Ｅ２と、これらの間に配置される光拡散層５Ｅ３と、を備える。
センサー群５Ｅ１は、それぞれマトリクス状に配列された複数の光センサー５Ｅ１１を
有し、各光センサー５Ｅ１１によって検出された輝度を、制御装置７に出力する。
光拡散層５Ｅ３は、フィルター５Ｅ２から入射される光を、センサー群５Ｅ１に向けて
拡散させて出射する。
【０１００】
フィルター５Ｅ２は、上記光センサー５Ｅ１１の配列状態に応じてそれぞれマトリクス
状に配列された複数のフィルター部５Ｅ２１を有する。これらフィルター部５Ｅ２１は、
それぞれ比較的狭い一定の透過波長範囲（一定の波長幅を有する範囲であり、例えば１５
ｎｍの波長範囲）を有する。これらフィルター部５Ｅ２１の透過波長範囲における下限波
長及び上限波長は、それぞれ異なっており、フィルター部５Ｅ２１のいずれかによって、
青に分類される光の波長範囲が連続的にカバーされている。そして、フィルター部５Ｅ２
１と、上記光センサー５Ｅ１１とは１対１で対応しており、あるフィルター部５Ｅ２１を
透過した光は、光拡散層５Ｅ３を介して、対応する光センサー５Ｅ１１に入射され、当該
光センサー５Ｅ１１によって、当該光の輝度が検出される。これにより、各光センサー５
Ｅ１１によって検出された光の輝度を比較することにより、上記ピーク決定部７６が、フ
ィルター５Ｅ２に入射された青色光のピーク輝度及びピーク波長を決定できる。
【０１０１】
検出装置５Ｅが有する赤用検出部は、図示を省略するが、青用検出部５ＥＢと同様に、
複数の光センサーを有するセンサー群と、複数のフィルター部を有するフィルターと、こ
れらの間に配置される光拡散層と、を有する。
これらのうち、複数のフィルター部は、一定の透過波長範囲をそれぞれ有する。これら
フィルター部の透過波長範囲の下限波長及び上限波長は、それぞれのフィルター部にて異
なっており、これらフィルター部のいずれかによって、赤色光の波長範囲が連続的にカバ
ーされている。従って、上記要因によって、光源装置４１から出射される赤色光の波長が
変化した場合でも、上記複数のフィルター部のいずれかを当該赤色光が透過する構成とな
っている。
そして、センサー群に設けられた複数の光センサーのうちいずれかが、フィルター部を
透過した赤色光の輝度を検出し、上記ピーク決定部７６が、これらの輝度を比較すること
により、フィルターに入射された赤色光のピーク輝度及びピーク波長を決定できる。
【０１０２】
なお、本実施形態においては、記憶部７１には、各フィルター部を透過可能な青色光及
び赤色光の波長範囲、すなわち、それぞれの光センサーによって検出される青色光及び赤
色光の波長範囲が記憶されている。このため、ピーク決定部７６が、光を検出した光セン
サーがどの光センサーであるのかを把握することによって、当該光の波長を決定できる。
このように決定された青色光及び赤色光のそれぞれのピーク波長及びピーク輝度に基づ
いて、画質調整部７７が、上記処理を実行することにより、上記のように、投射画像の色
バランスを適切に調整できる。
【０１０３】
［第５実施形態の効果］
以上説明した本実施形態に係るプロジェクター１Ｅによれば、上記プロジェクター１Ｂ
と同様の効果を奏することができる他、以下の効果を奏することができる。
検出装置５Ｅは、それぞれ透過波長範囲の下限波長及び上限波長が異なる複数のフィル
ター部５Ｅ２１が配列されたフィルター５Ｅ２と、当該フィルター部５Ｅ２１に応じて設
けられる複数の光センサー５Ｅ１１が配列されたセンサー群５Ｅ１と、を有する青用検出
部５ＥＢを備える。また、検出装置５Ｅは、当該青用検出部５ＥＢと同様の赤用検出部を
有する。これによれば、それぞれのフィルターの角度を調整することなく、青色光及び赤
色光のそれぞれのピーク輝度及びピーク波長を決定できる。また、それぞれのフィルター
部は、誘電体多層膜を有する光学フィルターでなくてもよいため、フィルターの選択自由
度を向上できる。
【０１０４】
［実施形態の変形］
本発明は、上記実施形態に限定されるものではなく、本発明の目的を達成できる範囲で
の変形、改良等は本発明に含まれるものである。
上記第１〜第３及び第５実施形態では、検出装置５Ａ〜５Ｃ，５Ｅは、青色光及び赤色
光の輝度を検出した。また、上記第４実施形態では、検出装置５Ｄは、赤、緑及び青の各
色光の輝度を検出した。しかしながら、本発明はこれに限らない。例えば、上記のように
、第１〜第３及び第５実施形態において示した構成において、緑色光の輝度を検出する緑
用検出部及び緑用調整部を更に設けてもよい。また、赤、緑及び青の各色光のうち、いず
れかの１つの色光の輝度及び波長を検出及び決定するように構成してもよい。
【０１０５】
上記各実施形態では、制御装置７の画質調整部７７は、光源装置４１及び光変調装置４
５２のそれぞれを制御して、投射画像の色バランスを調整するとした。しかしながら、本
発明はこれに限らない。すなわち、光源装置４１及び光変調装置４５２のいずれかを制御
することとしてもよい。例えば、画質調整部７７が、光源装置４１に対する印加電圧を変
更して、出射される色光の波長及び輝度を変化させることにより、投射画像の色バランス
を調整してもよい。
【０１０６】
上記各実施形態では、検出装置５Ａ〜５Ｅは、光拡散層５２，５４，５Ｄ３，５Ｅ３を
有するとした。しかしながら、本発明はこれに限らない。すなわち、光拡散層はなくても
よく、配置位置も適宜変更可能である。
上記各実施形態では、赤色光及び緑色光を出射する第１光源部４１１と、青色光を出射
する第２光源部４１９とを有する光源装置４１を例示した。しかしながら、本発明はこれ
に限らない。すなわち、特定の色に分類される光を出射可能な光源部を有する光源装置で
あれば、構成は問わない。例えば、赤、緑及び青の各色光をそれぞれ出射する赤用光源部
、緑用光源部及び青用光源部を備えた光源装置を採用してもよい。
【０１０７】
上記第５実施形態では、それぞれ一定の透過波長範囲（分離波長範囲）を有する複数の
フィルター部５Ｅ２１を有するフィルター５Ｅ２を挙げ、各フィルター部５Ｅ２１が有す
る透過波長範囲の下限波長及び上限波長は、それぞれ異なるとした。しかしながら、本発
明はこれに限らない。例えば、当該フィルター５Ｅ２に代えて回折格子を設け、当該回折
格子によって波長に応じて分離された各光が入射される位置に光センサーを配置し、これ
により、ピーク波長及びピーク輝度を決定及び検出する構成としてもよい。
【０１０８】
上記第１〜第３及び第５実施形態では、センサー群５１，５３，５Ｅ１は、それぞれ上
記空間ＳＰ１，ＳＰ２内に配置され、上記第４実施形態では、色合成装置４５３の端面４
５３Ａに応じた位置に配置されるとした。しかしながら、本発明はこれに限らない。すな
わち、センサー群の配置位置は、どこでもよい。例えば、青用検出部を構成するセンサー
群は、反射ミラー４２１における光入射側とは反対側に設けられていてもよい。また、セ
ンサー群は、各色光の光路上に挿抜可能に構成され、上記各色光の輝度を検出する際に当
該光路上に挿入されて、入射される光の輝度を検出する構成としてもよい。
また、各センサー群は、複数の光センサーが配列された構成を有するとした。しかしな
がら、本発明はこれに限らず、光センサーは、各検出部において１つでもよい。
【０１０９】
上記各実施形態では、ピーク決定部７６は、赤、緑及び青の各色光のピーク輝度及びピ
ーク波長を決定するとした。しかしながら、これに限らない。例えば、ピーク決定部７６
は、当該３つの色光のうちの少なくともいずれかのピーク輝度のみを決定する構成であっ
てもよく、ピーク波長のみを決定する構成であってもよい。
【０１１０】
上記各実施形態では、光学ユニット４は平面視略Ｌ字形状を有した構成を説明したが、
これに限らず、例えば、平面視略Ｕ字形状を有した構成を採用してもよい。
上記各実施形態では、プロジェクター１Ａ〜１Ｅは、３つの光変調装置４５２（４５２
Ｒ，４５２Ｇ，４５２Ｂ）を備えた。しかしながら、本発明はこれに限らない。すなわち
、２つ以下、あるいは、４つ以上の光変調装置を用いたプロジェクターにも、本発明を適
用可能である。
上記各実施形態では、光束入射面と光束射出面とが異なる透過型の液晶パネルを有する
光変調装置を用いていたが、光入射面と光射出面とが同一となる反射型の液晶パネルを有
する光変調装置を用いてもよい。また、入射光束を変調して画像情報に応じた画像を形成
可能な光変調装置であれば、マイクロミラーを用いたデバイス、例えば、ＤＭＤ（Digita
l Micromirror Device）等を利用したものなど、液晶以外の光変調装置を用いてもよい。
【符号の説明】
【０１１１】
１Ａ，１Ｂ，１Ｃ，１Ｄ，１Ｅ…プロジェクター、４１…光源装置、４１１…第１光源
部、４１９…第２光源部、４５２（４５２Ｂ，４５２Ｇ，４５２Ｒ）…光変調装置、４３
１，４３２…ダイクロイックミラー（フィルター）、５Ａ，５Ｂ，５Ｃ，５Ｄ，５Ｅ…検
出装置、５１，５３，５Ｄ１，５Ｅ１…センサー群（センサー装置）、５２，５４，５Ｄ
３，５Ｅ３…光拡散層、５５，５６，５Ｄ２，５Ｅ２…フィルター、５Ｅ２１…フィルタ
ー部、６，６Ｄ…調整機構、７…制御装置。
【図１】
2016114738.tif 000003
【図２】
2016114738.tif 000004
【図３】
2016114738.tif 000005
【図４】
2016114738.tif 000006
【図５】
2016114738.tif 000007
【図６】
2016114738.tif 000008
【図７】
2016114738.tif 000009
【図８】
2016114738.tif 000010
【図９】
2016114738.tif 000011
【図１０】
2016114738.tif 000012
【図１１】
2016114738.tif 000013
【図１２】
2016114738.tif 000014